(57)【要約】      （修正有）【課題】配線の接続が不要で設置の自由度が高い卓上充電スタンドを提供する。【解決手段】所要の充電容量を備える充電池２０と、当該充電池２０から供給される電流を充電対象の外部機器に供給するための外部機器接続部（ＵＳＢコネクタ１６）と、充電池２０への充電電流を供給するために外部充電器と接続される充電器接続部とが設けられている本体部１１と、本体部１１に設けられており、充電池２０から供給される電力により発光する発光部とを備えている卓上充電スタンド１０である。【選択図】図１
0003207668.tif 000002
【実用新案登録請求の範囲】
【請求項１】
所要の充電容量を備える充電池と、当該充電池から供給される電流を充電対象の外部機器に供給するための外部機器接続部と、前記充電池への充電電流を供給するために外部電源と接続される外部電源接続部とが設けられている本体部と、
前記本体部に設けられており、前記充電池から供給される電力により発光する発光部と、
を備えている卓上充電スタンド。
【請求項２】
請求項１に記載の卓上充電スタンドであって、前記本体部は、前記本体部の上面に板状部材を直立状態に支持すべく構成されており、前記発光部は、前記板状部材の下端面に対向するように前記本体部の上面に配設されている、卓上充電スタンド。
【請求項３】
請求項２に記載の卓上充電スタンドであって、前記本体部は、前記本体部の上面に前記板状部材を直立状態に支持すべく、前記本体部の上面にその長手方向に沿って形成された凹部である溝部を備え、前記発光部は、前記板状部材の下端面に対向するように前記溝部の底面に配設されている、卓上充電スタンド。
【請求項４】
請求項１〜３に記載の卓上充電スタンドであって、前記発光部は前記充電池から給電される複数の発光素子を備え、前記本体部には、前記複数の発光素子の発光態様を制御するように構成された発光制御部が設けられている、卓上充電スタンド。
【考案の詳細な説明】
【技術分野】
【０００１】
この考案は、卓上充電スタンドに関する。
【背景技術】
【０００２】
携帯電話、タブレット端末、スマートフォン等の携帯端末が広く利用されるようになっている。携帯端末はリチウムイオン二次電池等の充電池を電源としているため、外出途中で充電量が少なくなった時などに、外出先で充電する需要が存在する。
【０００３】
一方、携帯端末を充電するための充電器としては、例えば特許文献１に開示されているような充電用架台がある。特許文献１に開示されている充電用架台は、充電しようとする携帯電話を載置するための卓上ホルダを有し、ＤＣ電源を供給するＡＣアダプタに接続して使用するものである。
【先行技術文献】
【特許文献】
【０００４】
【特許文献１】特開２０１２−５０１７４号公報
【考案の概要】
【考案が解決しようとする課題】
【０００５】
特許文献１に提案されているような充電用架台はもっぱら家庭内での使用が想定され、外出時に持ち歩くことは不便である。そのため外出時は携帯端末に適合するＡＣアダプタを携帯して、必要に応じて外出先のＡＣコンセントに接続して充電するのが通常である。このような観点から、携帯端末等を充電するために利用可能な電源を備えていることをアピールする、飲食店等の商業施設も増えている。例えば喫茶店のような飲食店では、壁面やテーブル端面などにＡＣコンセントを設け、利用者が自身のＡＣアダプタをＡＣコンセントに接続して携帯端末などを充電できるようにしている例がある。
【０００６】
しかし、このようにＡＣコンセントを壁面やテーブルなどに設ける構成では、あらかじめ壁やテーブル天板内などに電源ケーブルを配線してあるため、店内の模様替えなどの場合には、電源ケーブルの配線変更工事などの大掛かりな作業が必要となる問題がある。また、利用者の立場からは、卓上ホルダほどではないにしても、かさばるＡＣアダプタを持ち歩かなければ携帯端末等の充電ができず、やはり利便性に欠ける憾みがある。
【０００７】
本考案は、上記の及び他の課題を解決するためになされたもので、配線の接続が不要で設置の自由度が高い卓上充電スタンドを提供することを一つの目的としている。
【課題を解決するための手段】
【０００８】
上記の目的を達成するために本考案の一態様は、所要の充電容量を備える充電池と、当該充電池から供給される電流を充電対象の外部機器に供給するための外部機器接続部と、前記充電池への充電電流を供給するために外部電源と接続される外部電源接続部とが設けられている本体部と、前記本体部に設けられており、前記充電池から供給される電力により発光する発光部とを備えている卓上充電スタンドである。
前記本体部は、前記本体部の上面に板状部材を直立状態に支持すべく構成し、前記発光部は、前記板状部材の下端面に対向するように前記本体部の上面に配設することができる。
さらに前記本体部には、前記本体部の上面に前記板状部材を直立状態に支持すべく、前記本体部の上面にその長手方向に沿って形成された凹部である溝部を設け、また前記発光部は、前記板状部材の下端面に対向するように前記溝部の底面に配設することができる。
また前記発光部には前記充電池から給電される複数の発光素子を設け、前記本体部には、前記複数の発光素子の発光態様を制御するように構成された発光制御部を設けることができる。
【考案の効果】
【０００９】
本考案の一態様によれば、配線の接続が不要で設置の自由度が高い卓上充電スタンドを提供することが可能となる。
【図面の簡単な説明】
【００１０】
【図１】本考案の一実施形態による卓上充電スタンドの正面図である。
【図２】本考案の一実施形態による卓上充電スタンドの平面図である。
【図３】本考案の一実施形態による卓上充電スタンドの一側面図である。
【図４】本考案の一実施形態による卓上充電スタンドの他の側面図である。
【図５】本考案の一実施形態による卓上充電スタンドの回路構成例を示す模式図である。
【図６】図１〜図４に例示した卓上充電スタンドの発光状態を例示する説明図である。
【考案を実施するための形態】
【００１１】
以下、本考案をその一実施形態に即して添付図面を参照しつつ説明する。
図１に、本実施形態による卓上充電スタンド１０の正面図を、図２、図３、図４にその平面図及び両側面図をそれぞれ示している。本実施形態の卓上充電スタンド１０は、レストラン、喫茶店といった飲食店のテーブル上に設置して使用することを想定して構成されている。
【００１２】
本実施形態の卓上充電スタンド１０は、略台形状の横断面を有する角柱状の本体部１１を有している。本体部１１は例えば中空のプラスチック成形体として形成することができるが、材質や形成方法は適宜選択することができる。またその形状も、本実施形態の断面略台形とした角柱状に限定されるものではなく、略直方体状等の適宜の形状とすることができる。本体部１１の内部には、後述する充電池２０が設けられる。
【００１３】
本体部１１の幅方向両側部には、一対の壁部１２が本体部１１のほぼ長手方向全長にわたって立設されており、それらの壁部１２の間に溝状の保持部１３が形成されている。図１〜図４に例示しているように、この保持部１３に、例えばアクリル板等で構成されたメニューパネル１００を立てることができる。メニューパネル１００の構成については後述する。なお、本実施形態の壁部１２に代えて、一対の金属製のフレームによって挟み込めるようにするなど、メニューパネル１００を立てられるようにする他の構成により保持部１３に相当する構成を実現してもよい。例えば、壁部１２は、本体部１１とは別の板状部材として形成し、本体部１１の上面側に溝状の保持部１３が形成されるように、本体部１１に対して固設することができる。なお、図１，３，４については、図面を見やすくするために、本実施形態の卓上充電スタンド１０とそれに載置するメニューパネル１００とを互いに離した状態で図示している。
【００１４】
本体部１１の長手方向の一端部には、図２に示すように、充電用ＡＣアダプタのプラグを接続することができる入力コネクタ１４と、ＵＳＢ（Universal Serial Bus）バスパワーによる給電を可能とするためのＵＳＢコネクタ１５が設けられている。入力コネクタ１４は、ＡＣアダプタの出力を接続する代わりに、商用のＡＣ１００Ｖ電源をそのまま接続することができるようにしてもよい。その場合には、本体部１１内にＡＣアダプタに相当する構成を内蔵する。またＵＳＢコネクタ１５としては、標準のＡ形ソケットの他、ＵＳＢ規格の他の小型コネクタを用いることもできる。また、ＵＳＢ以外の規格を適宜採用してもよく、例えばＩＥＥＥ１３９４に準拠するコネクタを採用することもでき、また携帯端末メーカー独自規格の種々のコネクタを設けることもできる。
【００１５】
本体部１１の一側面部には、利用者の携帯端末等の外部機器に充電池２０から電流を供給するためのＵＳＢコネクタ（例えばＡ形）１６が設けられている。図１の例ではＵＳＢコネクタ１６は２個設けているが、１個でも３個以上設けても差し支えない。またＵＳＢコネクタ１６としては、標準のＡ形ソケットの他、ＵＳＢ規格の他の小型コネクタを用いることもできる。また、ＵＳＢ以外の規格を適宜採用してもよく、例えばＩＥＥＥ１３９４に準拠するコネクタを採用することもでき、また携帯端末メーカー独自規格の種々のコネクタを設けることもできる。ＵＳＢコネクタ１６と利用者の携帯端末等との接続には、利用者が所有する接続ケーブルを利用すればよいが、卓上充電スタンド１０を設置する飲食店等が適宜の接続ケーブルを用意して利用者に貸与するようにしてもよい。本実施形態では、ＵＳＢコネクタ１６に隣接して、該当ＵＳＢコネクタ１６による充電状態を端子間電圧等に基づいて発光表示する充電ランプ１７を設けている。なお、充電ランプ１７は省略しても差し支えない。
【００１６】
一対の壁部１２の間に、本体部１１の長手方向ほぼ全長にわたって形成されている溝状の保持部１３の底部には、発光部３０が設置されている。発光部３０の発光素子としては、発光ダイオード（ＬＥＤ）が好適に用いられる。ＬＥＤ素子３５は、保持部１３の底部の幅に合わせて形状を定めたプリント基板に取り付けて、保持部１３内に設置することができる。また、ＬＥＤ素子３５をテープ状のベースに沿って長手方向にほぼ連続的に配置してなる、一般にテープライトと呼ばれる発光部材を用いることもできる。なお、図示を省略しているが、ＬＥＤ素子３５が保持部１３内に配置されるメニューパネル１００の端部と接触して破損するのを防止するために、保持部１３内に、ＬＥＤ素子３５の上面を保護するように長板状の保護カバーを設置することが好ましい。この保護カバーを設置する場合には、ＬＥＤ素子３５が発する光を遮らないように、所定の光透過性を有するものを選択するようにする。発光部３０が発光することで、本体部１１の保持部１３に載置したメニューパネル１００を効果的に照明することができる。照明効果の詳細については後述する。
【００１７】
次に、本実施形態の電気的構成例について説明する。図５に、本実施形態の卓上充電スタンド１０の回路構成例を示している。図５に示すように、本体部１１には、充電池２０が設けられ、その出力端子には、入力コネクタ１４、ＵＳＢコネクタ１５から、充電制御部１８を介して充電電流が供給されるように構成されている。また、充電池２０の出力端子には、外部機器への充電電流供給用のＵＳＢコネクタ１６と、発光部３０とが接続される。充電池２０と発光部３０との間には、充電池２０から発光部３０のＬＥＤ素子３５への電流を制御するＬＥＤ制御部４０が設けられる。なお、ＬＥＤ素子３５の明滅や輝度を特に変化させずに一定輝度で点灯させる場合には、ＬＥＤ制御部４０を単純な定電流回路として構成すればよい。
【００１８】
本実施形態では、充電池２０としてリチウムイオン二次電池を用いているが、これに限定されることなく他の形式の二次電池を用いてもよい。なお、充電池２０の容量は、本卓上充電スタンド１０により充電可能とする携帯端末の数に応じて決定すればよい。例えば、容量を１７０００ｍＡｈ（３．７Ｖ）＝６２．９Ｗｈとすれば、５Ｖ×１Ａ＝５Ｗの通常充電で１２時間の放電が可能である。通常のスマートフォンでは、約２６００ｍＡｈ×３．７Ｖ＝９Ｗの約半分ほど、すなわち５Ｗが使用済みになっていることが多いと考えられるので、実用的な充電可能台数の目安はほぼ１２台分と見積もることができる。
また、卓上充電スタンド１０に設けられる充電池２０への充電を考えると、ＤＣ５Ｖ／４Ａ出力のＡＣ１００Ｖ→ＤＣ５Ｖ電源アダプタを用いると、ほぼ充電量０に近い状態から約４時間で充電できることとなる。充電制御部１８は、一般的な充電電流の制御、及び過充電防止制御の機能を備えている。なお、充電電流２．０Ａの急速充電モードに対応した構成を備えた充電制御部１８としておくことで、充電容量の大きいタブレット端末にも充電可能とすることができる。
【００１９】
発光部３０は、上述したように、例えばテープライトを採用することができ、テープライトの寸法は任意に選択することができる。例えばいまＤＣ５Ｖ／２０ｍＡのＬＥＤ素子３５を４個設けたとすると、消費電流は８０ｍＡとなる。なお、ＬＥＤ素子３５としては、色温度６０００Ｋ（白色）のものが好適に用いられるが、これに限らず、所望の照明効果等に応じて適宜の色、輝度のものを採用してよい。また、図５には示していないが、充電池２０と発光部３０との間にスイッチを設け、発光部３０の照明をオンオフできるようにしてもよい。また、充電池２０と発光部３０との間に設けるＬＥＤ制御部４０に調光回路を設けることにより、発光部３０のＬＥＤ素子３５の発光輝度を制御して調光が可能となる。さらに、ＬＥＤ素子３５としてＲＧＢ３原色の発光が可能なＬＥＤ素子を採用すれば、ＬＥＤ制御部４０にＲＧＢ各色の輝度を調整する機能を設けることで、フルカラー（１６７７万色）の色調整を行うことも可能である。また、ＬＥＤ素子３５への電流供給タイミングをマイコン等にプリセットしたＬＥＤ通電制御プログラムで制御することにより、フラッシュ、明滅、発光部３０の長手方向に光が流れる効果など、所望のＬＥＤ素子３５の発光パターンを用いた照明の演出も可能である。
【００２０】
次に、発光部３０によるメニューパネル１００の照明効果について説明する。図６に、本実施形態の卓上充電スタンド１０の発光状態を例示している。発光部３０のＬＥＤ素子３５から上方に射出される光は、発光部３０の直上に立ててあるメニューパネル１００のアクリル板１１０の底部に入射する。メニューパネル１００は、２枚の透明アクリル板１１０を向かい合わせてなり、その間にメニュー等の印刷物１３０が挟み込まれるようになっている。２枚のアクリル板１１０は、４ヶ所に設けられた固定ネジ１２０で固定される。各アクリル板１１０の外周は、４５°の角度で面取りがしてある。アクリル板１１０は偏光率が高く、板の厚みに沿って光をガイドする。ガイドされた光は、各アクリル板１１０に設けられている４５°のエッジに到達すると９０°屈折させられる。アクリル板１１０の面と直交する方向に９０°屈折させられた光は、アクリル板１１０の平面側から見ている人間の目に到達する。これにより、図５のグレー部分で示しているように、メニューパネル１００を正面から見る人には、アクリル版１１０のエッジ部が発光部分Ｌとして光って見える効果が実現できる。
以上説明したように、本考案の一実施形態に係る、メニュースタンドも兼用する卓上充電スタンド１０によれば、電源配線を考慮することなく、飲食店等のテーブル上などに設置して、利用者が持参する充電ケーブルや飲食店等が貸与する充電ケーブルを用いて、利用者が携帯端末の充電を行うことができる。卓上充電スタンド１０は、その充電池２０にいったん充電すれば電源配線の接続は不要であるので、飲食店等の内部のどこにでも需要に応じて設置することができる。また、卓上充電スタンド１０に設ける発光部３０から照射される光により、本体部１１に載置したメニュー等を照明する効果を奏することができる。
【００２１】
以上、本考案についてその実施形態に即して説明したが、本考案は上記の実施形態に限定されるものではなく、その要旨を逸脱しない範囲で種々変更可能である。
【符号の説明】
【００２２】
１０  卓上充電スタンド
１１  本体部
１２  壁部
１３  保持部
１４  入力コネクタ（外部電源接続部）
１５  ＵＳＢコネクタ（外部電源接続部）
１６  ＵＳＢコネクタ（外部機器接続部）
１７  充電ランプ
１８  充電制御部
２０  充電池
３０  発光部
３５  ＬＥＤ素子（発光素子）
４０  ＬＥＤ制御部（発光制御部）
１００  メニューパネル（板状部材）
１１０  アクリル板（板状部材）
１２０  固定ネジ
１３０  印刷物
Ｌ  発光部分
【図１】
0003207668.tif 000003
【図２】
0003207668.tif 000004
【図３】
0003207668.tif 000005
【図４】
0003207668.tif 000006
【図５】
0003207668.tif 000007
【図６】
0003207668.tif 000008